(57)【要約】保持デバイス（１）は、支持プレート（１０）および複数の補強リブ（３０）を備え、前記支持プレート（１０）は、上面（１０ａ）と、前記上面（１０ａ）に対向する下面（１０ｂ）と、所定のパターンにしたがって配置された複数の開口部（２０）とを有し、各開口部は、前記医療用容器の１つのバレルを受け入れるように構成され、前記複数の補強リブ（３０）は、前記上下面（１０ａ、１０ｂ）の少なくとも一方から突出し、前記複数の開口部（３０）の隣接する開口部（２０）間に延在しており、前記複数の補強リブ（３０）は、支持プレート（１０）の一方の側から他方の側に、かつ２つの異なる対の隣接する周縁開口部（２０）の間に、前記支持プレート（１０）の長手方向（Ｘ）に対して斜めに延在している少なくとも１つの斜めリブ（１０ｃ）を備える。
2021522016.tif 000002
【特許請求の範囲】
【請求項１】
複数の医療用容器を支持するように構成された保持デバイス（１）であって、支持プレート（１０）および複数の補強リブ（３０）を備え、
前記支持プレート（１０）は、上面（１０ａ）と、前記上面（１０ａ）に対向する下面（１０ｂ）と、所定のパターンにしたがって配置された複数の開口部（２０）とを有し、各開口部は、前記医療用容器の１つのバレルを受け入れるように構成され、
前記複数の補強リブ（３０）は、前記上面および下面（１０ａ、１０ｂ）の少なくとも一方から突出し、前記複数の開口部（２０）の隣接する開口部（２０）間に延在しており、
前記複数の補強リブ（３０）は、前記支持プレート（１０）の一方の側から他方の側に、かつ２つの異なる対の隣接する周縁開口部（２０）の間に、前記支持プレート（１０）の長手方向（Ｘ）に対して斜めに延在している少なくとも１つの斜めリブ（３１０ｃ）を備えていることを特徴とする、保持デバイス（１）。
【請求項２】
少なくとも１つの補強リブが、少なくとも周縁開口部の列から周縁開口部の別の列まで延在することを特徴とする、請求項１に記載の保持デバイス（１）。
【請求項３】
前記複数の補強リブ（３０）は、前記支持プレート（１０）の略中央で互いに交差する２つの中央リブ（３１０ａ、３１０ｂ）を備えていることを特徴とする、請求項１または請求項２に記載の保持デバイス（１）。
【請求項４】
前記複数の補強リブ（３０）は、前記中央リブ（３１０ａ、３１０ｂ）の１つに平行に延在している少なくとも１つの補助的なリブ（３２）を備えることを特徴とする、請求項１から請求項３のいずれかに記載の保持デバイス（１）。
【請求項５】
前記少なくとも１つの補助的なリブ（３２）は、前記支持プレート（１０）の長手方向に直交することを特徴とする、請求項４に記載の保持デバイス（１）。
【請求項６】
前記少なくとも１つの補助的なリブ（３２）は、前記中央リブ（３１０ａ、３１０ｂ）よりも薄いことを特徴とする、請求項４または５に記載の保持デバイス（１）。
【請求項７】
前記少なくとも１つの補助的なリブ（３２）は、前記斜めリブ（３１０ｃ）よりも薄いことを特徴とする、請求項４から６のいずれかに記載の保持デバイス（１）。
【請求項８】
各開口部（２０）は、前記開口部（２０）への医療用容器のバレルの挿入を案内するように、前記支持プレート（１０）の上面または下面（１０ａ、１０ｂ）の一方から突出するチムニー（４２）によって囲まれていることを特徴とする、請求項１から７のいずれかに記載の保持デバイス（１）。
【請求項９】
前記チムニー（４２）は、少なくとも２つの案内タブ（４０）を備え、スリット（４１）は、前記少なくとも２つの案内タブ（４０）の間で区切られていることを特徴とする、請求項８に記載の保持デバイス（１）。
【請求項１０】
前記複数の補強リブ（３０）は、互いに接続した隣接するチムニー（４２）によって形成された１つまたはいくつかの補強リブ（３１０ａ、３１０ｂ、３２）を備えることを特徴とする、請求項８または９に記載の保持デバイス（１）。
【請求項１１】
前記１つ又はいくつかの補強リブ（３１０ａ、３１０ｂ、３２）を形成するチムニー（４２）は、他のチムニー（４２）よりも厚いことを特徴とする、請求項１０に記載の保持デバイス（１）。
【請求項１２】
前記支持プレート（１０）は、前記上面および下面（１０ａ、１０ｂ）の一方から突出し、前記複数の開口部（２０）を取り囲む周縁部を備えていることを特徴とする、請求項１から１１のいずれかに記載の保持デバイス（１）。
【請求項１３】
前記補強リブ（３１０ｃ）の少なくとも１つは、面取りされた端部（３３）を有していることを特徴とする、請求項１から１２のいずれかに記載の保持デバイス（１）。
【請求項１４】
複数の医療用容器を支持するように構成されたアセンブリであって、
−タブ；
−請求項１から１３のいずれかに記載の少なくとも１つの保持デバイス（１）
を備え、前記少なくとも１つの保持デバイス（１）が前記タブ内に収容されていることを特徴とする、アセンブリ。
【発明の詳細な説明】
【技術分野】
【０００１】
本発明は、複数の医療用容器を支持する保持デバイスに関する。
【背景技術】
【０００２】
本願において、部品または装置の遠位端は、ユーザの手から最も遠い端を意味するものとして理解されるべきであり、近位端は、ユーザの手に最も近い端を意味するものとして理解されるべきである。同様に、本願において、「遠位方向」は、本発明の保持デバイスに支持された容器に対する注入方向を意味するものと理解され、「近位方向」は、その注入方向とは逆の方向、すなわち、注入操作の際に容器を保持するユーザの手に向かう方向を意味するものと理解されるべきである。
【０００３】
事前充填可能または事前充填された注射器などの医療用容器は、しばしば、ある場所から別の場所へ、例えば、製造場所から、医療用容器がワクチン、薬剤または治療剤などの医薬組成物剤（ｐｈａｒｍａｃｅｕｔｉｃａｌ  ｃｏｍｐｏｓｉｔｉｏｎ  ａｇｅｎｔ）で充填され得る第２の場所へ、輸送される必要がある。より少ない頻度ではあるが、医療用容器を、同じ第１の場所で製造、充填し、次いで保管場所に輸送してもよい。輸送中、医療用容器は通常、ネストなどの保持デバイスによって保持される。
【０００４】
ネストは、一般的に１００を超える医療用容器を支持するように構成された板状トレイである。ネストは、所定の列に従って整列されたいくつかの貫通孔を含み、各孔は、１つの医療用容器を受け入れるように構成される。各医療用容器のバレルは、ネストに対して実質的に直交する方向に孔を通って突き出ている。
【０００５】
ネストは通常、密閉カバーで密閉されている１つの開口部を有する箱型のタブの中に入れられる。このタブから医療用容器を取り出すには、基本的に密閉カバーを剥がし、医療用容器を保持しているネストをタブから外し、ネストに対して医療用容器を軸方向にスライドさせてネストから医療用容器を取り出す。ネストから取り出して個別に包装する前に、充填機を用いて医療用容器に医薬組成物剤を充填する。
【発明の概要】
【０００６】
充填機で取り扱う際には、ネストに保持されている全ての医療用容器の重量により、ネストが、少し変形、例えば曲がったり歪んだりすることがある。その結果、わずかに変形したネストに支持されている医療用容器のフランジが厳密に同一の平面内に位置することがなくなり、充填プロセス時に誤差が生じる可能性がある。
【０００７】
さらに、既存のネストが多数の医療用容器を同時に支持して扱うことを可能にし、それによって保管または輸送コストが制限されるが、それでも、コストを低減することが絶えず必要である。
【０００８】
本発明の一態様は、複数の医療用容器を支持するように構成された保持デバイスであって、前記保持デバイスは、支持プレートおよび複数の補強リブを備え、
前記支持構造体は、上面と、前記上面に対向する下面と、所定のパターンにしたがって配置された複数の開口部とを有し、各開口部は、前記医療用容器の１つのバレルを受け入れるように構成され、
前記補強リブは、前記上下面の少なくとも一方から突出し、前記複数の開口部の隣接する開口部間に延在している。
【０００９】
したがって、本発明の保持デバイスは、いくつかの補強リブの存在によって強化される。この剛性の増加は、この支持プレートが充填機によって取り扱われるときに支持プレートが変形することを防止する。これにより、充填プロセスの精度を向上させることができる。また、保持デバイスの剛性が増加するため、支持プレートの厚さを薄くすることができる。その結果、保持デバイスの製造に必要な原料の量を低減することができ、コストを低減することができる。
【００１０】
前記複数の補強リブの補強リブは、前記支持プレートの一方の側から他方の側に延在している。
【００１１】
支持プレートの一方の側から他方の側に延在する補強リブによって、少なくとも周縁開口部の列から周縁開口部の別の列に延在する補強リブが理解されるべきである。周縁開口部は、複数の開口部のうち最も外側の開口部である。従って、周縁開口部は、前記複数の開口部の他の開口部を取り囲む。補強リブの端部は、２つの異なる対の隣接する周縁開口部の間に位置することができる。しかし、補強リブは、支持プレートの周縁リム（ｐｅｒｉｐｈｅｒａｌ  ｒｉｍ）まで、すなわち、前記周縁リムの一部から他の部分までさらに延在してもよい。この場合、補強リブの端部は支持プレートの周縁リムに位置する。
【００１２】
補強リブは、開口部の隣接する列の間に延在している。補強リブは、前記開口部の隣接する列に平行である。補強リブは、開口部と交差することなく延在している。
【００１３】
一実施形態において、複数の補強リブは、支持プレートの略中央で互いに交差する２つの中央リブを含む。
【００１４】
一実施形態において、複数の補強リブは、支持プレートの長手方向に対して斜めに延在している１つまたはいくつかの斜めリブを含む。
【００１５】
一実施形態では、複数の補強リブは、支持プレートよりも１，５倍から２倍の厚さの主要な補強リブを含む。
【００１６】
この特徴（ｆｅａｔｕｒｅ）は、コスト低減と剛性の最適な折衷案を提供する。
【００１７】
補強リブの厚さは、この補強リブの２つの側面間の距離、すなわち補強リブの長手方向と直交する方向であって支持プレートに平行な方向で測定した距離である。
【００１８】
支持プレートの厚さは、支持プレートと直交する方向で測定した支持プレートの上下面間の距離である。
【００１９】
一実施形態において、複数の補強リブは、前記中央リブの１つに平行に延在している少なくとも１つの補助的なリブを含む。
【００２０】
一実施形態において、前記少なくとも１つの補助的なリブは、支持プレートの長手方向に直交している。
【００２１】
一実施形態において、前記少なくとも１つの補助的なリブは、中央リブよりも薄い。
【００２２】
一実施形態において、前記少なくとも１つの補助的なリブは、斜めリブよりも薄い。
【００２３】
有利には、複数の補強リブは、少なくとも１つの主要な補強リブと少なくとも１つの補助的な補強リブとを含んでいてもよく、少なくとも１つの補助的な補強リブは、少なくとも１つの主要な補強リブよりも薄くてもよい。
【００２４】
一実施形態において、少なくとも１つの中央補強リブは、少なくとも１つの補助的なリブの１，５倍から２倍の厚さである。
【００２５】
一実施形態では、少なくとも１つの斜め補強リブは、少なくとも１つの補助的なリブよりも１，５倍から２倍の厚さである。
【００２６】
有利には、複数の補強リブは、支持プレートの長手方向に平行に延在している少なくとも１つの長手方向補強リブを含む。少なくとも１つの長手方向補強リブは、中央補強リブのうちの１つであってもよい。複数の補強リブは、いくつかの長手方向補強リブを含むことができ、そのうちの少なくとも１つは主要な補強リブであってもよい。
【００２７】
有利には、複数の補強リブは、支持プレートの横方向（ｔｒａｎｓｖｅｒｓａｌ  ｄｉｒｅｃｔｉｏｎ）に平行に延在している少なくとも１つの横方向補強リブ（ｔｒａｎｓｖｅｒｓａｌ  ｒｅｉｎｆｏｒｃｉｎｇ  ｒｉｂ）を含む。少なくとも１つの横方向補強リブは、中央補強リブの１つであってもよい。複数の補強リブは、いくつかの横方向補強リブを含むことができ、そのうちの少なくとも１つは主要な補強リブであってもよい。
【００２８】
一実施形態において、各開口部は、医療用容器のバレルの前記開口部への挿入を案内するように、支持プレートの上面または下面の１つから突出するチムニーによって取り囲まれている。
【００２９】
この特徴は、支持プレートを介して医療用容器を案内することを可能にする。
【００３０】
一実施形態によれば、チムニーは、少なくとも２つの案内タブを備え、スリットは、少なくとも２つの案内タブの間で区切られている。
【００３１】
この特徴により、案内タブ間のスリットによる原材料コストを低減できる。
【００３２】
一実施形態によれば、チムニーは４つの案内タブを備え、スリットは２つの隣接する案内タブの間で区切られている。
【００３３】
一実施形態において、前記複数の補強リブは、互いに接続された隣接するチムニー、より正確には隣接する案内タブによって形成された１つまたはいくつかの補強リブを含む。
【００３４】
これにより、支持プレートの剛性を向上させつつ、さらに原料コストを低減できるという利点がある。
【００３５】
一実施形態において、前記１つ又はいくつかの補強リブを形成するチムニー又は案内タブは、他のチムニー又は案内タブよりも厚い。
【００３６】
有利には、案内タブ及び補強リブは、支持プレートの同一面から突出する。
【００３７】
一実施形態において、チムニーまたは案内タブの高さは、補強リブの高さと等しいことが好ましい。
【００３８】
チムニー又は案内タブの高さは、チムニー又は案内タブの近位端と遠位端との間の距離である。
【００３９】
一実施形態において、支持プレートは、前記上下面の一方から突出し、前記複数の開口部を囲む周縁部を備える。
【００４０】
これにより、支持プレートの剛化（ｓｔｉｆｆｅｎｉｎｇ）が向上する。
【００４１】
一実施形態において、補強リブの少なくとも１つは面取りされた端部を有する。
【００４２】
これにより、支持プレートの剛性を損なうことなく、原料コストを低減することができる。
【００４３】
一実施形態において、斜めリブは面取りされた端部を有する。
【００４４】
有利には、開口部は千鳥状の列（ｓｔａｇｇｅｒｅｄ  ｒｏｗ）に配置される。
【００４５】
その結果、２つの隣接する列の開口部は互いに対してオフセットされる。互いに対して五つ目型に開口部を有することは、多数の医療用容器を支持することを可能にする。より正確には、１つの開口部は、４つの隣接する開口部によって形成される正方形の中心に位置する。
【００４６】
有利には、保持デバイスはネストである。
【００４７】
本発明の第２の態様は、複数の医療用容器を支持するように構成されたアセンブリに関し、アセンブリが、
タブ；
第１の態様による少なくとも１つの保持デバイス
を含む。
【００４８】
タブは、保持デバイスと、この保持デバイスによって支持される医療用容器とを収容するように構成された内部容積を画定する箱型のハウジングであってもよい。タブは、保持デバイスの内部容積への挿入又は保持デバイスのタブからの取り外しを可能にするように構成された少なくとも１つの開口部を有することができる。タブはまた、開口部をシールするように構成され、保持デバイスを取り外す前に剥がすことができる密閉カバーを備えることができる。密封カバーは、Ｔｙｖｅｋ（登録商標）シート、または気密性であるが例えばエチレンオキシド（ＥＯ）のような滅菌ガスを透過する任意の材料を含むことができる。
【００４９】
別の態様は、複数の医療用容器を支持するように構成された保持デバイスであって、前記保持デバイスは、
支持プレートであって、上面と、前記上面に対向する下面と、所定のパターンにしたがって配置された複数の開口部とを有し、複数の開口部の各々が前記医療用容器の１つのバレルを受け入れるように構成されている、支持プレートを備え、
各開口部は、支持プレートの上面または下面の１つから突出する少なくとも２つの案内タブによって取り囲まれ、医療用容器のバレルの前記開口部への挿入を案内し、スリットは、前記少なくとも２つの案内タブの間で区切られている。
【００５０】
この保持デバイスは、医療用容器が挿入又は支持プレートから取り外されるときに医療用容器を案内する一方で、案内タブを分離するスリットにより、可能な限り少ない原料を使用することができるので、コストを低減する。
【００５１】
この保持デバイスはまた、本明細書に詳細に記載された追加の特徴の一部または全部を備えることができる。
【００５２】
例えば、この保持デバイスは、前記上下面の少なくとも一方から突出し、前記複数の開口部の隣接する開口部の間で支持プレートの一方の側から他方の側に延在している複数の補強リブを備えることができる。
【００５３】
複数の補強リブは、支持プレートの略中央で互いに交差する２つの中央リブと、前記中央リブに対して斜めに延在している斜めリブとを備えることができる。中央補強リブおよび斜め補強リブは、支持プレートよりも１，５から２倍の厚さであってもよい。
【００５４】
例えば、前記複数の補強リブは、互いに接続された隣接する案内タブによって形成された１つまたはいくつかの補強リブを含む。前記１つまたはいくつかの補強リブを形成する案内タブは、他の案内タブよりも厚くてもよい。案内タブと補強リブとは、支持プレートの同一面から突出していることが好ましい。案内タブの高さは、補強リブの高さと同等またはそれを超えていてもよい。
【００５５】
複数の補強リブは、有利には、前記中央リブの１つに平行に延在している少なくとも１つの補助的なリブを含む。前記少なくとも１つの補助的なリブは、支持プレートの長手方向と直交することが好ましい。前記少なくとも１つの補助的なリブは、有利には、中央リブ及び斜めリブよりも薄い。有利には、中央補強リブおよび斜め補強リブは、前記少なくとも１つの補助的なリブよりも１，５倍から２倍の厚さである。有利には、前記少なくとも１つの補助的なリブと支持プレートは、同様の厚さを有することができる。補強リブは、好ましくは面取りされた端部を有する。
【００５６】
例えば、前記支持プレートは、前記上下面の一方から突出し、前記複数の開口部を囲む周縁部を有する。
【００５７】
例えば、開口部は千鳥状の列に配置される。
【００５８】
本発明およびそれから生じる利点は、次のように添付図面を参照して以下に示す詳細な説明から明らかになるであろう。
【図面の簡単な説明】
【００５９】
【図１】本発明の一実施形態による保持デバイスの上面斜視図である。
【図２】本発明の一実施形態による保持デバイスの底面斜視図である。
【図３】本発明の一実施形態による保持デバイスの上面図である。
【図４】本発明の一実施形態による保持デバイスの底面図である。
【発明を実施するための形態】
【００６０】
図を参照すると、本発明の一実施形態による保持デバイス１、すなわちネストが示されている。保持デバイス１は、複数の医療用容器（表示されない）を同時に支持するように構成されている。したがって、保持デバイス１は、医療用容器を充填ライン上で包装、保管、運搬、および取り扱いするためのネストとして機能する。ネストとは、１つの医療用容器を受け入れるように構成された各開口部を備えるプレートであって、ネストが、箱型のハウジング内の肩部に載置できるように、あるいは充填機によって取り扱うことができような傾斜面を有するプレートである。
【００６１】
医療用容器は、予め充填可能な注射器などの注射器であってもよいことに留意されたい。医療用容器は、充填後に、ワクチン、医薬または治療用医薬組成物などの医薬組成物を含むように意図される。
【００６２】
注射器のような医療用容器は、典型的には、医薬組成物剤を収容するためのリザーバを画定する細長いバレルと、バレルの内側に配置されたプランジャストッパと、バレルの内側にプランジャストッパを移動させ、バレルの遠位端においてステークドニードル（ｓｔａｋｅｄ  ｎｅｅｄｌｅ）および／またはニードルシールドにより閉鎖された先端部を介して医薬組成物剤を排出するプランジャと、バレルの近位端におけるフランジとを備える。フランジは、ユーザの指、一般に人差し指および中指を位置決めするための表面を提供し、プランジャロッドは、親指で作動される。
【００６３】
保持デバイス１は、複数の医療用容器を同時に支持するように構成された支持プレート１０を備える。支持プレートとは、長さや幅などの他の寸法と比較して厚さが薄い実質的に平な部品（ｐｌａｎｅ  ｐｉｅｃｅ）を意味する。
【００６４】
支持プレート１０は、上面１０ａと、上面１０ａに対向する下面１０ｂと、上下面１０ａ、１０ｂを接合する周縁リム１１ｃとを有する。
【００６５】
支持プレート１０は、好ましくは長方形であり、従って、２つの長手方向側１２ａ及び２つの横方向側１２ｂを規定する。
【００６６】
図１を参照すると、支持プレート１０は、鉛直方向Ｚに直交する平面ＸＹに実質的に延在している。長手方向側１２ａは、鉛直方向Ｚに直交する長手方向Ｘに沿って延在し、横方向側１２ｂは、長手方向Ｘ及び鉛直方向Ｚに直交する横方向Ｙに沿って延在している。
【００６７】
図２及び図４を参照すると、支持プレート１０は、箱型のハウジングの内側に配置された肩部に当接するように構成された１つ又は幾つかの傾斜面１３を備えることができる。これらの傾斜面１３はまた、支持プレート１０が充填ライン上で取り扱われることができるように、支持プレート１０の取り扱い部分を規定する。傾斜面１３は、好ましくは下面１０ｂ上に延在する。傾斜面１３はまた、横方向Ｙに延在していることが好ましい。
【００６８】
保持デバイス１はまた、複数の開口部２０を備え、各開口部２０は、医療用容器の１つのバレルを受け入れるように構成されている。開口部２０は、円筒形バレルを受け入れるように円形であることが好ましい。図３及び図４に示すように、開口部２０は、板状構造体１０を上面１０ａから下面１０ｂまで通り抜けて延在している貫通開口部（ｔｈｒｏｕｇｈ−ｏｐｅｎｉｎｇ）である。
【００６９】
開口部２０は、例えば、長手方向Ｘまたは横方向Ｙに沿って延在している、あるいは長手方向および横方向Ｘ，Ｙに対して斜め方向に沿って延在しているときにみられ得る、平行な列などの所定のパターンに従って配置されている。図に示すように、開口部２０は、千鳥状の列、すなわち五つ目型に配置されていてもよく、保持デバイス１は、可能な限り多くの医療用容器を受け入れることができる。
【００７０】
支持プレート１０は、医療用容器の１つのフランジを支持するように構成された各当接面１４を備えることができる。各当接面１４は、開口部２０の１つの周囲に延在していることが好ましく、上面または下面１０ａ、１０ｂの一部であってもよく、好ましくは、図１に示すように上面１０ａであってもよく、またはチムニー４０の遠位端４０ｂに位置していてもよい。当接面１４は、円形形状を有していてもよい。
【００７１】
図２及び図４を参照すると、保持デバイス１は、支持プレート１０を強化するように構成された複数の補強リブ３０を備えることができる。補強リブ３０は、上面又は下面１０ａ、１０ｂの一方、好ましくは下面１０ｂから突出し、隣接する開口部２０の間を長手方向に延在している。
【００７２】
補強リブ３０は、開口部２０の２つの隣接する長手方向、横方向又は斜め方向の列の間に延在する。補強リブ３０は、開口部２０の隣接する列に平行である。補強リブ３０は、開口部２０と交差することなく延在する。
【００７３】
補強リブ３０は、支持プレート１０と直交に突出する壁状に形成されていてもよい。図２及び図４に示すように、補強リブ３０は、鉛直方向Ｚと直交する方向に沿って長手方向に延びている。補強リブ３０は、後述するように、直線状であっても、波状であってもよい。いずれにしても、補強リブ３０は、長手方向に略直線状に延びている。
【００７４】
補強リブ３０、好ましくは全ての補強リブ３０は、支持プレート１０の一方の側１２から他方の側１２に延在していることに留意すべきである。より正確には、補強リブ３０は少なくとも、複数の開口部２０の一の周縁列２１から他の周縁列２１に長手方向に延在している。開口部２０の周縁列２１は、複数の開口部２０の最も外側の開口部２２によって形成されている。図３に示す例では、保持デバイス１は、４つの周縁列２１を備えている。
【００７５】
補強リブ３０は、２つの両端部３３を有し、両端部３３は、支持プレート１０の２つの相違する側１２に位置することが好ましい。例えば、両端部３３は、２つの隣接する周縁開口部２２の間に位置している。補強リブ３０は、一方の端部３３から他方の端部まで連続して延在していることに留意されたい。図２に示すように、少なくともいくつかの補強リブ３０は、有利には面取りされた端部３３を有している。その結果、これらの補強リブ３０の高さは、これらの端部３３に向かって減少する。
【００７６】
図２または図４から分かるように、複数の補強リブ３０は、主要な補強リブ３１および補助的な補強リブ３２を含むことができ、補助的な補強リブ３２は、主要な補強リブ３１よりも薄いことが有利である。
【００７７】
保持デバイス１は、１つ又はいくつかの中央補強リブ３１０ａ，３１０ｂを備えることができる。これらの中央補強リブ３１０ａ，３１０ｂは、図４に示すように、支持プレート１０の略中央で互いに交差しており、中央補強リブ３１０ａ，３１０ｂは波状であってもよい。好ましくは、中央補強リブ３１０ａ、３１０ｂは互いに垂直である。
【００７８】
第一の中央補強リブ３１０ａは、一方の横方向側１２ｂの中央から他方の横方向側１２ｂの中央まで、支持プレート１０の長手方向側１２ａに略平行な方向に沿って延びている。
【００７９】
第２の中央補強リブ３１０ｂは、一方の長手方向側１２ａの中央から他方の長手方向側１２ａの中央まで、支持プレート１２の横方向側１０ｂと略平行な方向に沿って延びている。
【００８０】
保持デバイス１はまた、中央補強リブ３１０ａ，３１０ｂに対して斜めに延在する１つ又はいくつかの斜め補強リブ３１０ｃを備えていてもよい。好ましくは、斜め補強リブ３１０ｃはそれぞれ、１つの長手方向側１２ａから１つの横方向側１２ｂまで延びている。好ましくは、斜め補強リブ３１０ｃは直線状である。
【００８１】
図２及び図４に示す例では、保持デバイス１は、４つの斜め補強リブ３１０ｃを備えている。中央補強リブ３１０ａ，３１０ｂは、支持プレートを四分割等のいくつかの領域に分割する。これらの各領域には、１つの斜め補強リブ３１０ｃが延在している。
【００８２】
図２および図４に示す実施形態では、斜め補強リブ３１０ｃは面取りされた端部３３を有する。
【００８３】
中央補強リブ３１０ａ、３１０ｂ及び斜め補強リブ３１０ｃは、主要な補強リブ３１を形成している。上述したように、保持デバイス１は、少なくとも１つの補助的な補強リブ３２、例えば、図２及び図４に示すような２つの補助的な補強リブ３２をさらに含んでいてもよい。一実施形態では、補助的な補強リブ３２は有利に、中央補強リブ３１０ａ、３１０ｂの１つに平行、例えば、第２の中央補強リブ３１０ｂに平行である。好ましくは、補助的な補強リブ３２は、支持プレート１０の長手方向側１２ａから反対の位置にある長手方向側１２ａまで延びている。その結果、補助的な補強リブ３２は、あまり多くの素材を必要とせずに支持プレート１０の剛性を高める。補助的な補強リブ３２は、中央補強リブ３１０ａ，３１０ｂのように波状であってもよい。補助的な補強リブ３２は、中央補強リブ３１０ａ，３１０ｂの１つと対称に、例えば、第２中央補強リブ３１０ｂと平行に配置されてもよい。
【００８４】
好ましくは、主補強リブ３１の厚さは、第２補強リブ３２の厚さの１５０％〜２００％で構成される。補強リブの厚さは、その長手方向に直交し且つ水平面ＸＹに平行な方向で測定される。主要な補強リブ３１の厚さは、有利には、支持プレート１０の厚さの１５０％〜２００％である。支持プレート１０の厚さは、上下面１０ａ、１０ｂ間の垂直方向Ｚで測定される距離である。さらに有利には、補助的な補強リブ３２と支持プレート１０とは、同等の厚さを有し得る。
【００８５】
例えば、板状構造体１０は、１，３〜１，５ｍｍ、好ましくは１，４ｍｍの厚さを有することができる。主要な補強リブ３１の厚さは、２，３〜２，６ｍｍ、例えば中央補強リブ３１０ａ，３１０ｂでは２，５ｍｍの厚さ、斜め補強リブ３１０ｃでは２，４ｍｍの厚さとすることができる。補助的な補強リブ３２の厚さは、１，３〜１，５ｍｍ、好ましくは１，４ｍｍとすることができる。
【００８６】
図１および図２を参照すると、保持デバイス１は、案内タブ４０によって形成されたチムニー４２を備えることができ、これらのチムニーは、医療用容器のバレルのこれらの開口部２０のそれぞれへの挿入を案内するために、各開口部２０の周囲にガイド導管（ｇｕｉｄｉｎｇ  ｃｏｎｄｕｉｔ）を形成するように構成される。
【００８７】
案内タブ４０は、支持プレート１０の上下面１０ａ，１０ｂの一方から、好ましくは下面１０ｂから突出している。案内タブ４０と当接面１４とは、支持プレート１０の対向面に配置されている。
【００８８】
好適な実施形態では、案内タブ４０及び補強リブ３０は、支持プレート１０の同一面から突出することが好ましい。好適な実施形態では、案内タブ４０は、垂直方向Ｚに沿って、支持プレート１０と直交する方向に突出する。
【００８９】
案内タブ４０は、開口部２０を囲むように延在しており、各開口部は、少なくとも２つの案内タブ４０、例えば、図２に示すように４つの案内タブによって囲まれている。図２に示すように、各案内タブ４０は、支持構造体１０に固定された近位端１０ａと、前記近位端４０ａとは反対側の遠位端４０ｂとを有する。近位端４０ａは、開口部２０の１つの外周に沿って延在している。近位端４０ａ及び遠位端４０ｂは、案内タブ４０が円筒形状となるように弓状形状を有していてもよい。
【００９０】
図２に示されるように、同じ開口部２０の案内タブ４０は、スリット４１によって分離されている。スリット４１は、支持プレート１０に直交する方向に沿って有利に延在することができる。スリット４１は、好ましくは、案内タブ４０の近位端４０ａから遠位端４０ｂまで延在する。
【００９１】
好ましい実施形態では、補強リブ３０の高さは、案内タブ４０の高さと等しいか又はそれよりも低い。
【００９２】
図２および図４を参照すると、少なくともいくつかの補強リブ３０、特に、補強リブ３１０ａ、３１０、および／または補助的な補強リブ３２などの開口部２０の列に平行に延在しているものは、それらが延在している開口部２０の１つの案内タブ４０を有利に一体化する。その結果、補強リブ３０に隣接する開口部２０の案内タブ４０の１つが補強リブ３０の一部となり得る。これらの案内タブ４０は、対応する補強リブ３０を形成するように互いに連結される。補強リブ３０を形成するこれらの案内タブ４０は、他の案内タブ４０よりも厚いことに留意されたい。
【００９３】
支持プレート１０は有利に、前記上下面１０ａ，１０ｂの一方から、例えば上面１０ａから突出して、複数の開口部２０を囲む周縁部を備える。周縁部と補強リブ３０とは支持プレート１０の対向面から突出している。しかしながら、周縁部と補強リブ３０とは支持プレート１０の同一面から突出していてもよい。周縁部は有利に、支持プレート１０に直交して突出している。
【００９４】
周縁部は、支持プレート１０の全周で、連続的に、すなわち中断することなく延在していることが好ましい。図に示すように、周縁部は、周縁リム１１ｃから延びていてもよい。
【００９５】
保持デバイス１は、ポリプロピレン（ＰＰ）等のプラスチック材料からなることが好ましい。支持プレート１０、補強リブ３０および／または案内タブ４０、および／または周縁部は、好ましくは、一体成形される。
【図１】
2021522016.tif 000003
【図２】
2021522016.tif 000004
【図３】
2021522016.tif 000005
【図４】
2021522016.tif 000006
【国際調査報告】
2021522016.tif 000007
2021522016.tif 000008
2021522016.tif 000009
2021522016.tif 000010